(57)【特許請求の範囲】
【請求項１】
庫内において複数の収納部を有する棚の前面域へ調整空気を給気導風路から拡散させる状態に吹き出し供給し、かつ、前記収納部の夫々から棚背面側へ吸引ファンにより空気吸引することで、前記収納部の夫々に調整空気を通過させてそれら収納部の収納処理物を処理する農水産物処理システムであって、
前記吸引ファンにより前記収納部の夫々から吸引した空気を還気導風路により空調手段へ導いてその空調手段で調整し、かつ、前記還気導風路により導かれる吸引空気の一部をバイパス風路により前記空調手段に対してバイパスさせ、これら空調手段による調整空気とバイパス風路によるバイパス空気との混合気を処理用調整空気として前記給気導風路へ送出する構成にしてあり、
前記吸引ファンにより前記収納部の夫々から吸引した空気を前記還気導風路を介して合流状態で受け入れる機械室を庫内に仕切形成し、
この機械室に前記空調手段として、その機械室の室内気を調整する空調機を配備し、
この機械室を前記空調手段に対する導風路と前記バイパス風路とに兼用する状態で、この機械室の室内気を前記給気導風路へ送出する構成にしてある農水産物処理システム。
【請求項２】
前記収納部の夫々から棚背面側に配備の吸引チャンバを介して前記吸引ファンにより空気吸引する構成において、これら吸引チャンバ及び吸引ファンを前記収納部の夫々に対して個別に配備してある請求項１記載の農水産物処理システム。
【請求項３】
前記還気導風路として、前記吸引ファンにより前記収納部の夫々から吸引した空気を合流させる還気室を、前記機械室との隣接状態で前記棚の背面側において庫内に仕切形成するとともに、
この還気室から前記機械室へ空気流入させる連通口を両室の間の間仕切に形成し、
この連通口に、その連通口における通過空気を浄化する空気浄化手段を配備してある請求項１又は２記載の農水産物処理システム。
【請求項４】
前記連通口として、床寄り箇所に形成した下部連通口と、天井寄り箇所に形成した上部連通口とを設け、
これら連通口のうち前記下部連通口にのみ前記空気浄化手段を配備してある請求項３記載の農水産物処理システム。
【請求項５】
前記還気室への受け入れ空気の一部を庫外へ排出する排塵用の導風路を設けてある請求項３又は４記載の農水産物処理システム。
【請求項６】
処理物収容コンテナの搬入搬出部と前記棚との間を移動して、前記収納部の夫々に対する処理物収容コンテナの出し入れを自動的に行う移送機を設けてある請求項１〜５のいずれか１項に記載の農水産物処理システム。
【請求項７】
前記空調手段を、前記還気導風路により導かれる空気の除湿処理が可能な構成にしてある請求項１〜６のいずれか１項に記載の農水産物処理システム。
【請求項８】
外気を加熱する空気加熱手段を設け、
この空気加熱手段による加熱外気と前記空調手段により除湿した空気と前記バイパス風路によるバイパス空気との混合気を、処理用調整空気として前記給気導風路へ送出する構成にしてある請求項７記載の農水産物処理システム。
【発明の詳細な説明】
【０００１】
【発明の属する技術分野】
本発明は農水産物処理システムに関し、詳しくは、庫内において複数の収納部を有する棚の前面域へ調整空気を給気導風路から拡散させる状態に吹き出し供給し、かつ、前記収納部の夫々から棚背面側へ吸引ファンにより空気吸引することで、前記収納部の夫々に調整空気を通過させてそれら収納部の収納処理物を処理する農水産物処理システムに関する。
【０００２】
【従来の技術】
従来、この種の処理システムでは、棚の各収納部から棚背面側に配備の吸引チャンバを介して吸引ファンにより空気吸引するのに対し、その吸引空気（すなわち使用済の調整空気）は、吸引ファンの送風機能により庫内へ放出するようにしていた。また、庫内において給気導風路から棚の前面域へ拡散させる状態に吹き出し供給する調整空気については、庫内における機体周辺の空気を吸入して、この吸入空気を調整する空調機を庫内に設け、そして、この空調機に給気導風路の基端を接続した風路構成で、この空調機による調整空気を給気導風路へ送出するようにしていた。
【０００３】
【発明が解決しようとする課題】
しかし、上記の従来システムでは、庫内における機体周辺からの吸入空気を空調機により調整して、その調整空気を空調機に接続の給気導風路へ送出する風路構成上、給気導風路から棚の前面域へ拡散させる状態に吹き出し供給する調整空気の風量が空調機の許容通過風量に制限され、この為に、棚の各収納部が臨む棚前面域に対し十分な風量の調整空気を均一に供給することが難しかった。
【０００４】
また、この状況において、各収納部から吸引ファンにより棚背面側へ吸引した使用済の調整空気を庫内へ放出するため、この使用済の調整空気が放出後の庫内拡散に伴い、棚における収納部位置によって量的に差のある状態で棚前面域の調整空気とともに各収納部へ短絡的に吸入されて、その為に各収納部における棚前面域からの吸入空気に質的な差が生じ、これらのことが原因で、棚における収納部どうしで収納処理物の処理品質にバラツキが生じる問題があった。
【０００５】
この実情に対し、本発明の主たる課題は、導風構成を合理化することにより、全体として簡略なシステム構成を採りながら上記の問題を効果的に解消する点にある。
【０００６】
【課題を解決するための手段】
〔１〕請求項１記載の発明では、棚の各収納部から吸引ファンにより棚背面側へ吸引した空気を、還気導風路により空調手段へ導いて空調手段で調整し、かつ、その還気導風路により導かれる吸引空気の一部をバイパス風路により空調手段に対してバイパスさせ、これら空調手段による調整空気とバイパス風路によるバイパス空気との混合気を処理用調整空気として給気導風路へ送出するから、吸引ファンによる各収納部からの吸引空気（すなわち使用済の調整空気）が庫内拡散により棚における収納部位置によって量的に差のある状態で各収納部に短絡的に吸入されて各収納部の吸入空気に質的な差が生じることを、還気導風路による導風をもって確実に防止できる。
【０００７】
そして、バイパス風路によるバイパスにより給気導風路への送出風量を空調手段での許容通過風量の制限を受けずに大きく確保した状態で、また、給気導風路への混合状態での空気送出によりその送出空気を均質化した状態で、空調手段による調整空気とバイパス風路によるバイパス空気との混合気からなる均一で大きな風量の処理用調整空気を、給気導風路から棚の前面域へ拡散させる状態に吹き出し供給することができ、これらのことから、従来システムに比べ、棚における収納部どうしで収納処理物の処理品質にバラツキが生じることを効果的に防止できて、システムの処理物に対する均一処理性を大きく向上できる。
【０００８】
しかも、システムの基本構成として、空調手段で調整した空気を給気導風路にから棚の前面域へ拡散させる状態に吹き出し供給して、その調整空気を棚前面域から棚の各収納部に吸入させる形式を採るから、棚の各収納部に対し調整空気供給ダクトを個別に直接接続する別形式に比べ、風路構成面でシステム構成を簡略にすることができて、システムコストを安価にすることができる。
さらに、吸引ファンにより収納部の夫々から吸引した空気を還気導風路を介して合流状態で受け入れる機械室を庫内に仕切形成するとともに、この機械室に前記空調手段として、その機械室の室内気を調整する空調機を配備し、そして、この構成において、機械室を前記空調手段に対する導風路と前記バイパス風路とに兼用する状態で、この機械室の室内気を給気導風路へ送出するから、空調手段に対する導風路やバイパス風路を専用ダクトで形成するに比べ、風路構成面でシステム構成を一層簡略にすることができる。
また、収納部の夫々から吸引ファンにより吸引した空気を還気導風路を介し合流状態で機械室に受け入れて処理するから、棚における複数の収納部に対して、空調手段としての配備空調機、及び、庫内仕切形成の機械室を共用する形態になり、このことから、空調手段の配備面や庫内における機械室の仕切形成面でもシステム構成を一層簡略にすることできて、システムコストをさらに安価し得るとともに、システムのメンテナンス（特に空調機の点検保守）も容易にすることができる。
【０００９】
〔２〕請求項２記載の発明では、棚における収納部の夫々から棚背面側に配備の吸引チャンバを介して吸引ファンにより空気吸引する構成を採るにあたり、これら吸引チャンバ及び吸引ファンを棚における収納部の夫々に対し個別に配備して、これら個別の吸引チャンバ及び吸引ファンにより収納部毎に独立に空気吸引するから、これら収納部の通気抵抗（主に収納処理物による通気抵抗）に多少の差があったとしても、その抵抗差が原因で吸引ファンの吸引作用が通気抵抗の小さい収納部の方に偏って集中作用する状態になって各収納部における棚前面域からの調整空気通風量に大きな差が生じることを効果的に抑止でき、これにより、システムの処理物に対する均一処理性を一層効果的に向上できる。
【００１２】
〔３〕請求項３記載の発明では、前記還気導風路として、吸引ファンにより収納部の夫々から吸引した空気を合流させる還気室を、前記機械室との隣接状態で棚の背面側において庫内に仕切形成するとともに、この還気室から機械室へ空気流入させる連通口を両室の間の間仕切に形成し、そして、この連通口に、その連通口における通過空気を浄化する空気浄化手段を配備するから、収納部における収納処理物からの発塵等に対し、この空気浄化手段による空気浄化をもって庫内環境を良化できるとともに、機械室に配備した空調機の塵埃付着等に原因するトラブルを効果的に防止できる。
【００１３】
また、吸引ファンにより収納部の夫々から吸引した空気を合流させる還気室を棚背面側で庫内に仕切形成して、この還気室から機械室へ連通口を介し吸引空気を合流状態で流入させるから、棚の各収納部から個別の吸引ファンにより空気吸引する構成において、これら吸引ファンによる吸引空気をダクト構造等の個別の還気導風路を介して機械室に導入するに比べ、風路構成面でシステム構成をさらに簡略にすることができる。
【００１４】
〔４〕請求項４記載の発明では、前記連通口として、床寄り箇所に形成した下部連通口と、天井寄り箇所に形成した上部連通口とを設け、これら連通口のうち下部連通口にのみ空気浄化手段を配備するから、この空気浄化手段の必要処理風量を軽減して空気浄化手段を小型なものですませながらも、還気室での塵埃落下を利用した形態で下部連通口における空気浄化手段により効率的に空気浄化でき、かつ、機械室への流入風量（すなわち機械室と棚との間での循環風量）を上下の連通口をもって大きく確保できる。
【００１５】
〔５〕請求項５記載の発明では、前記還気室への受け入れ空気の一部を庫外へ排出する排塵用の導風路を設けるから、この排塵用導風路による空気排出に伴う塵埃排出により、また、空気循環系中で塵埃濃度が最も高くなる還気室からの効率的な塵埃排出により、さらにまた、この空気排出による庫内換気により、前記空気浄化手段による空気浄化と相まって庫内環境を一層効果的に良化できる。
【００１６】
〔６〕請求項６記載の発明では、処理物収容コンテナの搬入搬出部と棚との間を移動して、収納部の夫々に対する処理物収容コンテナの出し入れを自動的に行う移送機を設けるから、この移送機をもって棚の収納部の夫々に対するコンテナの出し入れを容易にかつ能率的に行うことができ、また、この能率化によりシステムの単位期間当たりの処理能力を高めることができる。
【００１７】
なお、処理物収容コンテナの搬入部と搬出部とは、互いに近接させて配置する形態、あるいは、互いに離間させて配置する形態、あるいはまた、搬入部と搬出部とを一つの搬入搬出兼用部で兼ねる形態のいずれの形態を採ってもよい。
【００１８】
〔７〕請求項７記載の発明では、前記空調手段を還気導風路により導かれる空気の除湿処理が可能な構成にするから、この空調手段で除湿した空気を棚の各収納部に通過させて収納処理物の乾燥処理を効率良く行うことができ、そして、この乾燥処理において、前記の如く高い均一処理性を発揮できることで処理物を均一に乾燥処理することができる。
【００１９】
〔８〕請求項８記載の発明では、外気を加熱する空気加熱手段を設け、この空気加熱手段による加熱外気と前記空調手段により除湿した空気と前記バイパス風路によるバイパス空気との混合気を、処理用調整空気として給気導風路へ送出するから、これら加熱外気と除湿空気との混合により処理用調整空気を乾燥温暖空気にして、この乾燥温暖空気により収納処理物の乾燥処理を一層効率良く行うことができる。
【００２０】
また、外気を加熱して処理用調整空気に混入するから、外気導入による庫内換気も合わせ実施できて庫内環境の良化機能も得ることができる。
【００２１】
【発明の実施の形態】
図１〜図３は乾燥処理システムを示し、１は処理庫、２は前面どうしを対向させて処理庫１の庫内に配備した２基の処理棚、３は同じく前面どうしを対向させて処理庫１の庫外に配備した２基の待機棚であり、これら処理棚２及び待機棚３は夫々、棚前面視で行列配置の複数の収納部２ａ，３ａを備えている。
【００２２】
４Ａ，４Ｂは処理物Ｗ（例えば玉葱など）を収容したコンテナ５の搬入部及び搬出部、６はその搬入搬出部４Ａ，４Ｂと処理庫１内の処理棚２との間を移動して処理棚２の各収納部２ａに対する処理物収容コンテナ５の出し入れを自動的に行う移送機であり、処理棚２と待機棚３とは、処理庫１の出入口１ａを通る移送機６の一連の移動経路を前面対向する棚２，３どうしの間に直線的に形成するように棚巾方向に並べて配置し、これにより、移送機６によるコンテナ移送を能率化する。
【００２３】
処理物収容コンテナ５の出し入れ作業については、具体的には、処理棚２においてコンテナ収容処理物Ｗの処理を行っている間に、移送機６を待機棚３と搬入搬出部４Ａ，４Ｂとの間で往復させて、処理棚２での先の処理の後に待機棚３の各収納部３ａに預けてある処理済コンテナ５を順次、移送機６により搬出部４Ｂへ取り出すとともに、その順次取り出しにおける搬出部４Ｂから待機棚３への移送機戻り移動の都度、搬入部４Ａに搬入された未処理のコンテナ５を移送機６により待機棚３へ運んで待機棚３の空き収納部３ａに預ける入出荷作業を自動的に実施する。
【００２４】
そして、処理棚２でのコンテナ収容処理物Ｗの処理が完了すると、移送機６を処理棚２と待機棚３との間で往復させて、処理棚２の各収納部２ａにおける処理済コンテナ５を順次、移送機６により待機棚３へ運んで待機棚３の空き収納部３ａに預けるとともに、その順次運搬における待機棚３から処理棚２への移送機戻り移動の都度、先に待機棚３に預けてある未処理のコンテナ５を移送機６により処理棚２へ運んで処理棚２の空き収納部２ａに収納する入出庫作業を自動的に実施し、これら入出荷作業と入出庫作業を交互に繰り返し実施する。
【００２５】
処理棚２でのコンテナ収容処理物Ｗの処理については、棚巾方向に並べて形成した複数の吹出口７ａから処理棚２どうしの間の移送機経路へ向けて調整空気ＳＡを吹き出すことで、各処理棚２の前面域（本例では処理棚２どうしの間の移送機移動空間）へ調整空気ＳＡを拡散させる状態に供給する給気導風路としての給気ダクト７を各処理棚２の下に配設し、また、各処理棚２の収納部２ａから棚背面側に配備の吸引チャンバ８を介して吸引ファン９により空気吸引する構成として、これら吸引チャンバ８及び吸引ファン９を各処理棚２における収納部２ａの夫々に対し個別に配備し、これにより、個別吸引ファン９の吸引作用により各処理棚２の収納部２ａに棚前面域から調整空気ＳＡを吸入させて各収納部２ａに調整空気ＳＡを強制通過させることで、これら収納部２ａにおける収納処理物Ｗ（すなわち収納コンテナ５の収容処理物）を処理する。
【００２６】
処理庫１の庫内において各処理棚２の背面側には、対応処理棚２の各収納部２ａから個別の吸引チャンバ８及び吸引ファン９により吸引した空気ＲＡを受け入れて合流させる還気導風路としての還気室１０と、さらにその外側に配置して還気室１０から連通口１１，１２を介し空気流入させる機械室１３とを間仕切１４，１５により仕切形成し、各機械室１３には空調手段として機械室１３の室内気を除湿処理する除湿機１６，１７を配備してある。
【００２７】
また、処理庫１の庫外には、外気を加熱してその加熱外気ＯＡを温風ダクト１８により各機械室１３へ各別に供給する空気加熱手段としての２基の燃焼式温風機１９を配備してあり、この空調構成において、各機械室１３の室内気を処理用調整空気ＳＡとして各機械室１３の一端部から給気ファン２０により各給気ダクト７へ各別に送出することで、処理棚２の各収納部２ａにおける収納処理物Ｗを前記の如き処理形態をもって乾燥処理する。
【００２８】
すなわち、基本的には、処理棚２の各収納部２ａから個別の吸引チャンバ８及び吸引ファン９により吸引した空気ＲＡ（すなわち使用済の調整空気）を還気導風路としての還気室１０を介し合流状態で機械室１３へ導いて、空調手段としての除湿機１６，１７により調整し、この調整空気ＳＡを給気導風路としての給気ダクト７へ送出する構成にしてある。
【００２９】
そして、この処理システムでは、個別の吸引チャンバ８及び吸引ファン９による吸引空気ＲＡを還気導風路としての還気室１０を介し合流状態で機械室１３へ導くのに対し、この機械室１３を、空調手段としての除湿機１６，１７へ還気室１０からの導入空気ＲＡを導く導風路１３Ａと、それら除湿機１６，１７に対し還気室１０からの導入空気ＲＡの一部をバイパスさせるバイパス風路１３Ｂとに兼用し、かつ、空気加熱手段としての燃焼式温風機１９から供給される加熱外気ＯＡの混合室に兼用する形態で、除湿機１６，１７により除湿処理した空気とバイパス風路１３Ｂによるバイパス空気と燃焼式温風機１９による加熱外気ＯＡとの混合気を、処理用調整空気ＳＡとして給気導風路としての給気ダクト７へ送出する構成にしてある。
【００３０】
除湿機については、室外機不要の一体型除湿機１６、及び、庫外に配置した室外機１７ａとの冷媒配管接続が必要なセパレート型除湿機１７の２種を機械室１３に配備してあり、一体型除湿機１６では、機体周辺から機内に取り入れた空気を冷媒蒸発コイルにより冷却除湿し、これに続き、その冷却除湿空気を冷媒凝縮コイルにより再熱して機外へ送出する。一方、セパレート型除湿機１７では、機体周辺から機内（室内機）に取り入れた空気を冷媒蒸発コイルにより冷却除湿し、これに続き、その冷却除湿空気を冷媒凝縮コイルにより再熱して機外へ送出することにおいて、室外機１７ａの冷媒凝縮コイルによる庫外へ放熱量を調整することで再熱量の調整が可能になっている。
【００３１】
還気室１０から機械室１３への空気流入について、それら還気室１０と機械室１３との間の間仕切１４には、床近傍箇所に形成の下部連通口１１と天井近傍箇所に形成の上部連通口１２とを設けてあり、そして、下部連通口１１には、その下部連通口１１における通過空気ＲＡを浄化する空気浄化手段としてオートロール式の除塵フィルタ２１を配備し、また、上部連通口１２には、吸引ファン９及び給気ファン２０とともに空気循環用ファンとして機能させる連通口ファン２２を配備してある。
【００３２】
つまり、この連通口構成により、空気浄化手段としてのオートロール式除塵フィルタ２１の必要処理風量を軽減しながらも、還気室１０での塵埃降下を利用して機械室１３への流入空気ＲＡに対する除塵処理を効率良く行い、かつ、上下の連通口１１，１２をもって機械室１３への流入風量（すなわち機械室１３と棚２との間での循環風量）を大きく確保する。
【００３３】
また、各還気室１０の受け入れ空気ＲＡの一部は、庫内換気を兼ねて、排塵用導風路としての排気ダクト２３を通じ排気ファン２４により処理庫１の庫外へ排出するようにし、この排気と前記除塵フィルタ２１による除塵とをもって、収納処理物Ｗからの発塵に対し処理庫１の庫内塵埃濃度を許容レベルに保つ。
【００３４】
処理物Ｗを集積状態で収容するコンテナ５は、調整空気ＳＡを内部通過させるように前面と背面の２面（場合によっては両横面を含む４面、さらにまた、場合によっては底面を含む５面）を網状体で形成した通気構造にしてあり、一方、各処理棚２においては、図４及び図５に示す如く、棚前面域から収納部２ａに吸入した調整空気ＳＡが隣の収納部２ａへ移流することを防止する為に、上下左右に隣合う収納部２ａどうしを遮風壁２５，２６により仕切ってある。
【００３５】
また、吸入調整空気ＳＡが収納コンテナ５の周囲を迂回する状態でコンテナ背面部と吸引チャンバ８の口縁との間の隙間から吸引チャンバ８に吸引されることを防止する為に、コンテナ５を収納部２ａに収納した状態で上記隙間を塞ぐシール手段として、コンテナ５の収納に伴いコンテナ５の背面部を当接させてコンテナ背面部と吸引チャンバ８の口縁との間を弾性により気密にするゴム製などの弾性パッキン２７を吸引チャンバ８の口縁部に貼設してある。
【００３６】
さらにまた、各収納棚２の前面には、各収納部２ａの前面開口部を閉じる開閉自在なカーテン状体２８を設け、そして、このカーテン状体２８には、コンテナ５を各収納部２ａに収納してカーテン状体２８を閉じた状態において各コンテナ５の前面部に対向位置させる多孔構造の通気口２９を形成し、これにより、カーテン状体２８を閉じた状態において棚前面域の調整空気ＳＡを各収納コンテナ５の前面部に集中させるように上記通気口２９から各収納部２ａへ吸入する。
【００３７】
つまり、調整空気ＳＡの強制通風により高い処理能率を確保しながらも、これら遮風壁２５，２６、弾性パッキン２７、通気口形成カーテン状体２８の機能により、各収納部２ａに対する吸引チャンバ８及び吸引ファン９の個別配備と相まって、また、還気室１０による導風で使用済調整空気ＲＡの庫内拡散を阻止することと相まって、処理棚１における収納処理物Ｗを均一に処理できるようにしてある。
【００３８】
カーテン状体２８については、図６に示す如く、その閉じ状態において棚前面部の全面にわたらせる主体シート材２８ａ（通気口２９を形成したシート材）に上下適当間隔で横向き芯材３０を取り付け、そして、開閉操作用の索具３１を各芯材３０に付設の案内環３２に通して最下端の芯材３０に連結した構造にし、この索具３１を処理棚上部の動力巻取機３３により上方へ巻き取ることで、図６（ロ）に示す如く、カーテン状体２８を芯材間が折目部となる折り畳み状態に開いて、その折り畳み状態で処理棚２の上端部に格納し、この開き状態において処理棚２の各収納部２ａに対する処理物収容コンテン５の出し入れ作業を行うようにしてある。
【００３９】
また、各吸引チャンバ８及び吸引ファン９による吸引空気ＲＡは、各吸引ファン９の吐出側に接続のエルボダクト３４により下向きで還気室１０の室内へ吐出させ、これにより、吐出風による間仕切１４のバタツキを防止するとともに、吐出風に含まれる塵埃の舞い上がり抑制する。
【００４０】
〔別の実施形態〕
次に別の実施形態を列記する。
【００４１】
棚前面域へ調整空気ＳＡを拡散させる状態に吹き出し供給する給気導風路は、前述の実施形態の如きダクト構造（給気ダクト７）に代えてチャンバ構造にしてもよく、また、対応する棚２の下部に配置するに代え、対応棚２の側部や上部あるいは対応棚２の上下中間部や対応棚２の前面対向箇所に配置するなどしてもよい。さらにまた、調整空気ＳＡを吹き出す吹出口７ａの口数や形状・構造も種々の構成変更が可能である。
【００４２】
吸引ファン９による吸引空気ＲＡを空調手段に導く還気導風路は、前述の実施形態の如き仕切室構造（還気室１０）に代え、場合によってはダクト構造やボックスチャンバ構造にしてもよい。
【００４４】
前述の実施形態の如き還気室１０及び機械室１３を庫内に仕切形成する場合、棚背面側に形成する還気室１０と機械室１３との相対的配置関係は種々の構成変更が可能であり、例えば、図７に示す如く、２基の処理棚２の背面側夫々に還気室１０を形成するのに対し、これら処理棚２の棚巾方向一端側において一つの機械室１３を両還気室１０にわたらせる状態に形成してもよい。
【００４５】
還気室１０から機械室１３へ空気流入させる連通口に空気浄化手段を配備する場合、その空気浄化手段には、除塵フィルタ２１に限らず電気集塵機など種々の浄化方式のものを採用でき、また、還気室１０から機械室１３への流入空気ＲＡのうちの一部のみを空気浄化手段により浄化するに代え、機械室１３への流入空気ＲＡの全量を空気浄化手段により浄化してもよい。
【００４６】
個別の吸引チャンバ８及び吸引ファン９により処理棚２の各収納部２ａにおける収納コンテナ５（処理物Ｗを収容したコンテナ）の内部にコンテナ前面側から調整空気ＳＡを強制通過させるのに、これらコンテナ５における収容処理物群の上面部をシート材や板材などからなる落とし蓋的な遮風手段で覆い、これにより、コンテナ内部へのコンテナ前面部からの調整空気吸入を一層的確にして処理の一層の効率化を図ってもよい。
【００４７】
また、吸引チャンバ８を収納コンテナ５の背面部のほぼ全面に対して空気吸引機能させるに代え、収納コンテナ５の背面部のうち上縁から下方へある程度の寸法の間の部分に対しては吸引チャンバ８を吸引機能させない構造にし、これにより、コンテナ５における処理物Ｗの収容量が少なくてコンテナ内部で収容処理物群の上方に空きスペースが生じるような場合でも、この空きスペースを介して調整空気ＳＡが短絡的に吸引チャンバ８に吸引されることを防止して、処理物Ｗの効率的かつ均一な処理を維持できるようにしてもよい。
【００４８】
処理物Ｗは玉葱や馬鈴薯、あるいは果実、あるいはまた海草類や魚介類など、どのような農水産物であってもよく、また、処理物Ｗの処理内容も乾燥に限定されるものではなく、冷却や加熱あるいは加湿、あるいはまた、それらの組み合わせであってもよい。そして、還気導風路により導かれる吸引空気ＲＡを調整する空調手段、また、その空調手段として機械室１３に配備する空調機は、除湿機に限らず、空気冷却機や空気加熱機あるいは加湿機、あるいはまた、それらの組み合わせ等、処理物Ｗの処理内容に応じて選定すればよい。
【００４９】
その他、各請求項に記載の発明の実施にあたっては、各請求項に記載の範囲内において、構造面及び方式面で種々の構成変更が可能である。
【図面の簡単な説明】
【図１】平面図
【図２】側面図
【図３】正面図
【図４】収納部の側面図
【図５】収納部の正面図
【図６】カーテン状体の開閉構造を示す棚側面図
【図７】別実施形態を示す平面図
【符号の説明】
２                    棚
２ａ                  収納部
４Ａ，４Ｂ            搬入搬出部
６                    移送機
７                    給気導風路
８                    吸引チャンバ
９                    吸引ファン
１０                  還気導風路，還気室
１１                  連通口，下部連通口
１２                  連通口，上部連通口
１３                  機械室
１６，１７            空調手段，空調機
１９                  空気加熱手段
２１                  空気浄化手段
２３                  排塵用導風路
ＯＡ                  加熱外気
ＳＡ                  調整空気
ＲＡ                  吸引空気
Ｗ                    処理物
【図１】
0003596655.tif 000002
【図２】
0003596655.tif 000003
【図３】
0003596655.tif 000004
【図４】
0003596655.tif 000005
【図５】
0003596655.tif 000006
【図６】
0003596655.tif 000007
【図７】
0003596655.tif 000008